(57)【要約】      （修正有）【課題】磁石体を内蔵した磁気治療器としての雄スナップボタンであって、カシメ等の加工を採用することなく、磁石体が破損又は損傷する虞を防止し、肌触りを良好なものとした磁石付雄スナップボタンを提供する。【解決手段】弾性を有する頭部２ａの内部に磁石体４を収納し、当該収納空間の開口部を鍔部とするカバー部２と、覆設部３ａと係合部３ｂとを備えるベース部３とを備え、鍔部２ｃを弾性変形させ覆設部３ａを収納空間２ｄに嵌挿させ、狭持して固着したことを特徴とする磁石付雄スナップボタン。【選択図】図１
0003153251.tif 000002
【実用新案登録請求の範囲】
【請求項１】
弾性を有する頭部の内部に磁石体を収納し、当該収納空間の開口部を鍔部とするカバー部と、
覆設部と係合部とを備えるベース部とを備え、
鍔部を弾性変形させ覆設部を収納空間に嵌挿させ、狭持して固着したことを特徴とする磁石付雄スナップボタン。
【請求項２】
磁石体はカバー部における収納空間から連設して形成される凹部に収納される請求項１に記載の磁石付雄スナップボタン。
【請求項３】
覆設部が頭部内部の磁石体と当接して支持する請求項１又は請求項２に記載の磁石付雄スナップボタン。
【請求項４】
弾性を有する頭部を略半球形状とした請求項１乃至請求項３のいずれか１項に記載の磁石付雄スナップボタン。
【考案の詳細な説明】
【技術分野】
【０００１】
本考案は、雄スナップボタンに係るものであって、特に磁石体を内蔵した磁気治療器としての磁石付雄スナップボタンに関するものである。
【背景技術】
【０００２】
従来より、磁石体を用いた雄スナップボタンが公知である。例えば、円板部の片面中央に先端側が略球状に拡大した凸部を設け、当該円板部の裏面に磁石体を接合したものが公知である（例えば、特許文献１参照）。
【０００３】
しかし、当該特許文献１に係る構造においては、磁石体を直接、体のツボに当接するようにしたものであるが、円板部の周縁を内側に湾曲した中空部に磁石体が嵌合されカシメにより接合されているので、カシメの際に磁石体を破損又は損傷する虞があった。
【０００４】
また、特許文献１に係る雄スナップボタンとは異なり、カシメの際に磁石体が破損するのを防止するような構造の釦形磁石体も公知である。例えば、半球形のキャップ内に所定のガウスの磁石体を収容し、その円形開口部を、中心に鋲脚先端挿入部の開設された閉塞板で閉塞した磁石体本体と、前記鋲脚先端挿入部へ挿入して固定する鋲脚を飾り止座体の中心に突出させた加締部材とからなる釦形磁石体において、前記閉塞板を硬質合成樹脂材で形成するとともに、その鋲脚挿入部を裏面に座段の形成された挿入用孔とし、また前記加締部材の鋲脚の先端が亀頭状となった中空とし、該加締部材の鋲脚の先端を挿入用孔から打ち込んで座グリ段部へ係止変形させる構成としたものが公知である（例えば、特許文献２参照）。
【０００５】
しかし、当該特許文献２に係る構造においては、半球形キャップの周縁を閉塞板の周縁に加締止めする工程が必要とされるものであり、加締止めする際の衝撃力を硬質合成樹脂製の閉塞板によって吸収緩和し、磁石体を保護するようにしたものであるが、磁石体が破損する虞を抜本的に解決したものではなかった。また、半球形キャップが金属製であることから、肌触りが良好なものでもなかった。
【先行技術文献】
【特許文献】
【０００６】
【特許文献１】実公平５−３９７１０号公報
【特許文献２】実登第２５６１４９０号公報
【考案の概要】
【考案が解決しようとする課題】
【０００７】
そこで、本考案はこのような問題点を解決するものであって、カシメ等の加工を採用することなく、磁石体が破損又は損傷する虞を防止し、肌触りを良好なものとした磁石付雄スナップボタンを提供することを課題とする。
【課題を解決するための手段】
【０００８】
前記問題点を解決するために、本考案の請求項１に記載の考案の磁石付雄スナップボタンは、弾性を有する頭部の内部に磁石体を収納し、当該収納空間の開口部を鍔部とするカバー部と、覆設部と係合部とを備えるベース部とを備え、鍔部を弾性変形させ覆設部を収納空間に嵌挿させ、狭持して固着したことを特徴とするものである。
【０００９】
また、本考案の請求項２に記載の考案の磁石付雄スナップボタンは、請求項１に記載の磁石付雄スナップボタンにおいて、磁石体はカバー部における収納空間から連設して形成される凹部に収納されるものである。
【００１０】
また、本考案の請求項３に記載の考案の磁石付雄スナップボタンは、請求項１又は請求項２に記載の磁石付雄スナップボタンにおいて、覆設部は頭部内部の磁石体と当接して支持するものである。
【００１１】
また、本考案の請求項４に記載の考案の磁石付雄スナップボタンは、請求項１乃至請求項３のいずれか１項に記載の磁石付雄スナップボタンにおいて、弾性を有する頭部を略半球形状としたものである。
【考案の効果】
【００１２】
本考案の請求項１乃至請求項４に記載の磁石付雄スナップボタンでは、従来における磁石付雄スナップボタンと同様に、カバー部にてツボを刺激し、凝りや筋肉疲労等を軽減又は解消することができる。また、弾性を有する頭部の内部に磁石体を収納し、当該収納空間の開口部を鍔部とするカバー部と、覆設部と係合部とを備えるベース部とを備え、鍔部を弾性変形させ覆設部を収納空間に嵌挿させ、狭持して固着したので、カシメ等の加工の工程を省略することができる。これにより、磁石体が破損又は損傷する虞がなくなる。更に、カバー部が弾性を有することから、金属製のものと比較して肌触りを良好なものとすることができる。
【図面の簡単な説明】
【００１３】
【図１】本考案の実施例における磁石付雄スナップボタンにおける構成部品を係合固着する前の正面断面図である。
【図２】本考案の実施例における磁石付雄スナップボタンにおける構成部品を係合固着した後の正面断面図である。
【図３】本考案の実施例における磁石付雄スナップボタンと係合する雌スナップボタンをズボンに取付けた際の前方斜視図である。
【図４】本考案の実施例における磁石付雄スナップボタンをズボンに取付けた際の前方斜視図である。
【図５】本考案の実施例における磁石付雄スナップボタンをズボンに取付けた際の正面断面図である。
【図６】本考案の別実施例における磁石付雄スナップボタンにおける構成部品を係合固着した後の正面断面図である。
【考案を実施するための形態】
【００１４】
以下、本考案の実施の形態における磁石付雄スナップボタンを図面に基づいて説明する。
【実施例】
【００１５】
本考案に係る磁石付雄スナップボタン１は、図１及び図２に示すように、磁石体４を収納するカバー部２、雌スナップと係合する係合部３ｂを備え、磁石体４を支持してカバー部２に係合されるベース部３とから構成されている。
【００１６】
カバー部２は、例えば合成ゴム、シリコン等の合成樹脂等の弾性を有する材料から略半球形状に形成される。当該略半球形状に形成される頭部２ａは、内部に略円形状の収納空間２ｄを有してなり、更に収納空間２ｄの開口縁部には鍔部２ｃが形成されている。当該鍔部２ｃは、収納空間２ｄの周縁よりも内径方向側に形成される。また、収納空間２ｄは、後述するベース部３における覆設部３ａと略同形状とされる。頭部２ａの略中央部には、収納空間２ｄから連設するようにして、磁石体４と略同形状の凹部２ｂが形成される。
【００１７】
ベース部３は、例えば、硬質合成樹脂、金属製等の材料から形成される。当該ベース部３は、収納空間２ｄと略同形状、例えば略円形状に形成される覆設部３ａと、覆設部３ａの略中央部から立設してなる係合部３ｂから形成されている。係合部３ｂにより、雌スナップボタンへの係合を可能とする。
【００１８】
磁石体４は、フェライト磁石、サマリウム・コバルト磁石、ネオジム磁石等のいわゆる永久磁石からカバー部２における凹部２ｂと略同形状、例えば略円柱形状に形成される。当該磁石体４にはネオジム磁石を採用し、磁石体４がカバー部２の凹部２ｂに収納された状態で、カバー部２の外側より測定した数値が１３０ｍＴ程度であることが望ましい。
【００１９】
このような構成部品から形成される磁石付雄スナップボタン１は、図２のようにして係合される。詳細には、カバー部２における凹部２ｂに磁石体４を収納した後、覆設部３ａの縁部を収納空間２ｄの周縁に当接させ、鍔部２ｃを弾性変形させながら、覆設部３ａの縁部を狭持して係合固着する。これにより、磁石体４は、ベース部３における覆設部３ａと当接して支持される。
【００２０】
図３に示すようにして、着用者は腰痛等の症状が感じられるズボン５のウエスト部５ａに、治具等を用いて、予め当該磁石付雄スナップボタン１と係合される雌スナップボタン６を固着しておく。当該雌スナップボタン６は、任意の個数、任意の位置に固着される。後に、図４及び図５に示すように、当該磁石付雄スナップボタン１を雌スナップボタン６における係合部６ａに係合固着することで使用される。このとき、磁石付雄スナップボタン１におけるカバー部２が肌と接触する側に配置して装着される。
【００２１】
また、磁石付雄スナップボタン１は、首、肩凝り等の症状が感じられるシャツ７の首部、肩部等に装着して使用することもできる。同様にして、磁石付雄スナップボタン１におけるカバー部２が肌と接触する側に配置して装着される。
【００２２】
本考案における磁石付雄スナップボタン１の使用は、上記実施例のズボン、シャツに限られることなく、雌スナップボタンを固着することができるスカート等の衣服、ブラジャー、パンツ等の下着にも使用することができる。
【００２３】
また、磁石付雄スナップボタン１におけるカバー部２の形状は、略半球形状に限られることなく、立方体、直方体、円錐形状等の多種の形状を採用することもできる。更に、磁力の強さに応じて、カバー部２における凹部２ｂを複数形成することもでき、磁石体４を複数個設けることができるのは勿論であり、磁極等の配列においても制限されるものではない。
【００２４】
更に、図６に示すように、磁石付雄スナップボタン１ａにおけるベース部３の覆設部３ａには、略中央部に上方に向けて突出部３ｃを形成して、磁石体４を支持することもできる。当該突出部３ｃは、凹部２ｂと略同形状に形成される。
【００２５】
以上、説明した本考案に係る磁石付雄スナップボタン１によれば、従来における磁石付雄スナップボタンと同様に、カバー部にてツボを刺激し、凝りや筋肉疲労等を軽減又は解消することができる。また、カシメ等の加工の工程を省略することができるので、カバー部２とベース部３の係合固着の際に磁石体４が破損又は損傷する虞がなくなる。更に、カバー部２にシリコン樹脂を採用した際には、衛生的且つ安全であり、かゆみ、かぶれ、蒸れを解消することができ、金属製のものと比較して使用者における肌触りを良好なものとすることができる。
【００２６】
また、カバー部２はシリコン樹脂から形成したが、真鍮等の金属製等の材料から形成してもよい。係る際には、カバー部２及びベース部３を係合させた後に、磁石体４を着磁する製造方法が望ましい。また、当該カバー部２には、複数の貫通孔を設けることもできる。
【符号の説明】
【００２７】
１、１ａ  磁石付雄スナップボタン
２      カバー部
２ａ    頭部
２ｂ    凹部
２ｃ    鍔部
２ｄ    収納空間
３      ベース部
３ａ    覆設部
３ｂ    係合部
３ｃ    突出部
４      磁石体
５      ズボン
５ａ    ウエスト部
６      雌スナップボタン
６ａ    係合部
【図１】
0003153251.tif 000003
【図２】
0003153251.tif 000004
【図３】
0003153251.tif 000005
【図４】
0003153251.tif 000006
【図５】
0003153251.tif 000007
【図６】
0003153251.tif 000008